(57)【特許請求の範囲】
【請求項１】
第１移動局及び第２移動局と無線基地局との間で無線基地局インタフェースを介したデータ信号及び制御信号の送受信を行い、該第１移動局と該第２移動局との間で移動局間インタフェースを介したデータ信号の送受信を行う移動通信方法であって、
前記無線基地局が、前記第１移動局及び前記第２移動局に対して、共通識別情報を用いた物理下りリンク制御チャネルを介して、前記移動局間インタフェースを介したデータ信号の送受信を行う機会を割り当てたことを通知する工程Ａと、
前記無線基地局が、前記第１移動局及び前記第２移動局に対して、ＲＲＣシグナリングを介して、前記機会においてデータ信号を送信すべき方向を通知する送信方向情報を送信する工程Ｂとを有することを特徴とする移動通信方法。
【請求項２】
第１移動局及び第２移動局と無線基地局との間で無線基地局インタフェースを介したデータ信号及び制御信号の送受信を行い、該第１移動局と該第２移動局との間で移動局間インタフェースを介したデータ信号の送受信を行うことができるように構成されている移動通信システムで用いられる無線基地局であって、
前記第１移動局及び前記第２移動局に対して、共通識別情報を用いた物理下りリンク制御チャネルを介して、前記移動局間インタフェースを介したデータ信号の送受信を行う機会を割り当てたことを通知するように構成されている送信部を具備しており、
前記送信部は、前記第１移動局及び前記第２移動局に対して、ＲＲＣシグナリングを介して、前記機会においてデータ信号を送信すべき方向を通知する送信方向情報を送信するように構成されていることを特徴とする無線基地局。
【請求項３】
前記送信方向情報は、周期的な時間リソース及び周波数リソースに括り着いていることを特徴とする請求項２に記載の無線基地局。
【請求項４】
前記送信部は、前記物理下りリンク制御チャネルを介して、前記移動局間インタフェースを介したデータ信号の送受信を行うべき周波数を通知するように構成されていることを特徴とする請求項２に記載の無線基地局。
【請求項５】
前記送信部は、ＲＲＣシグナリングを介して、前記移動局間インタフェースを介したデータ信号の送受信を行うべき周波数を通知するように構成されていることを特徴とする請求項２に記載の無線基地局。
【請求項６】
前記送信部は、前記物理下りリンク制御チャネルを介して、前記移動局間インタフェースを介したデータ信号の送受信を行うべきサブフレームを通知するように構成されていることを特徴とする請求項２に記載の無線基地局。
【請求項７】
前記送信部は、ＲＲＣシグナリングを介して、前記無線基地局インタフェースを介したデータ信号及び制御信号の送受信と、前記移動局間インタフェースを介したデータ信号の送受信とを時分割で行うために必要な時分割情報を送信するように構成されていることを特徴とする請求項２に記載の無線基地局。
【請求項８】
前記送信部は、前記無線基地局インタフェースを介したデータ信号の送受信を行う機会を割り当てたことを通知する物理下りリンク制御チャネルのフォーマットと、前記移動局間インタフェースを介したデータ信号の送受信を行う機会を割り当てたことを通知する物理下りリンク制御チャネルのフォーマットとを異なるフォーマットにするように構成されていることを特徴とする請求項２に記載の無線基地局。
【発明の詳細な説明】
【技術分野】
【０００１】
本発明は、移動通信方法及び無線基地局に関する。
【背景技術】
【０００２】
図７に、従来のＬＴＥ（Ｌｏｎｇ  Ｔｅｒｍ  Ｅｖｏｌｕｔｉｏｎ）方式のＵｕインタフェース（無線基地局インタフェース）における送受信タイミングについて示す。
【０００３】
図７に示す例では、移動局ＵＥは、周波数Ｆ１において、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を介して制御信号を受信し、ＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共有チャネル）を介してデータ信号を受信するように構成されている。
【０００４】
また、移動局ＵＥは、周波数Ｆ２において、ＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）を介してデータ信号を送信するように構成されている。
【０００５】
ここで、無線基地局ｅＮＢは、ＰＤＣＣＨを介して、Ｕｕインタフェース（ＰＤＳＣＨ）を介したデータ信号の受信を行う機会（Ｕｕ  ＤＬ）を割り当てたことを通知する「ＤＬ  ｒｅｓｏｕｒｃｅ  ａｌｌｏｃａｔｉｏｎ」や、Ｕｕインタフェース（ＰＵＳＣＨ）を介したデータ信号の送信を行う機会（Ｕｕ  ＵＬ）を割り当てたことを通知する「ＵＬ  ｇｒａｎｔ」を送信するように構成されている。
【０００６】
なお、上述の「Ｕｕ  ＤＬ」は、ＰＤＣＣＨと同一のサブフレーム（ｓｕｂｆｒａｍｅ）上で割り当てられる。
【０００７】
一方、「Ｕｕ  ＵＬ」が割り当てられるサブフレームは、移動局ＵＥにおいてＰＤＣＣＨを介して「ＵＬ  ｇｒａｎｔ」が受信されてからデータ信号（トランスポートブロック）が作成されるまでの処理遅延を考慮して決定される。
【０００８】
例えば、「Ｕｕ  ＵＬ」は、ＰＤＣＣＨが割り当てられているサブフレームからＸ個のサブフレームだけ後のサブフレームに割り当てられるように構成されている。
【先行技術文献】
【非特許文献】
【０００９】
【非特許文献１】３ＧＰＰ  ＴＳ３６.３００
【非特許文献２】３ＧＰＰ  ＴＳ３６.３２３
【非特許文献３】３ＧＰＰ  ＴＳ３６.２１３
【発明の概要】
【発明が解決しようとする課題】
【００１０】
今後、ＬＴＥ方式の移動通信システムにおいて、同一の無線基地局ｅＮＢ配下のセルにおいて「ＲＲＣ_Ｃｏｎｎｅｃｔｅｄ状態」である移動局ＵＥ＃１及び移動局ＵＥ＃２は、上述したＵｕインタフェースを介した無線基地局ｅＮＢとの間のデータ信号及び制御信号の送受信に加えて、移動局ＵＥ＃１と移動局ＵＥ＃２との間で直接設定されるＵｄインタフェース（移動局間インタフェース）を介したデータ信号の送受信を行うことができるようになる可能性がある。
【００１１】
しかしながら、かかる場合、移動局ＵＥ＃１及び移動局ＵＥ＃２は、Ｕｕインタフェースを介したデータ信号及び制御信号の送受信とＵｄインタフェースを介したデータ信号の送受信とを、同じ周波数を用いて同時に行うことができないため、これらの送受信タイミングを調整しなければならないという問題点があった。
【００１２】
そこで、本発明は、上述の課題に鑑みてなされたものであり、Ｕｕインタフェースを介したデータ信号及び制御信号の送受信タイミングとＵｄインタフェースを介したデータ信号の送受信タイミングとを適切に調整することができる移動通信方法及び無線基地局を提供することを目的とする。
【課題を解決するための手段】
【００１３】
本発明の第１の特徴は、第１移動局及び第２移動局と無線基地局との間で無線基地局インタフェースを介したデータ信号及び制御信号の送受信を行い、該第１移動局と該第２移動局との間で移動局間インタフェースを介したデータ信号の送受信を行う移動通信方法であって、前記無線基地局が、前記第１移動局及び前記第２移動局に対して、共通識別情報を用いた物理下りリンク制御チャネルを介して、前記移動局間インタフェースを介したデータ信号の送受信を行う機会を割り当てたことを通知する工程Ａと、前記無線基地局が、前記第１移動局及び前記第２移動局に対して、前記機会においてデータ信号を送信すべき方向を通知する送信方向情報を送信する工程Ｂとを有することを要旨とする。
【００１４】
本発明の第２の特徴は、第１移動局及び第２移動局と無線基地局との間で無線基地局インタフェースを介したデータ信号及び制御信号の送受信を行い、該第１移動局と該第２移動局との間で移動局間インタフェースを介したデータ信号の送受信を行うことができるように構成されている移動通信システムで用いられる無線基地局であって、前記第１移動局及び前記第２移動局に対して、共通識別情報を用いた物理下りリンク制御チャネルを介して、前記移動局間インタフェースを介したデータ信号の送受信を行う機会を割り当てたことを通知するように構成されている送信部を具備しており、前記送信部は、前記第１移動局及び前記第２移動局に対して、前記機会においてデータ信号を送信すべき方向を通知する送信方向情報を送信するように構成されていることを要旨とする。
【発明の効果】
【００１５】
以上説明したように、本発明によれば、Ｕｕインタフェースを介したデータ信号及び制御信号の送受信タイミングとＵｄインタフェースを介したデータ信号の送受信タイミングとを適切に調整することができる移動通信方法及び無線基地局を提供することができる。
【図面の簡単な説明】
【００１６】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおける送受信タイミングを示す図である。
【図４】本発明の第１の実施形態に係る移動通信システムにおける送受信タイミングを示す図である。
【図５】本発明の第１の実施形態に係る移動通信システムにおける送受信タイミングを示す図である。
【図６】本発明の第１の実施形態に係る移動通信システムにおける送受信タイミングを示す図である。
【図７】従来の移動通信システムについて説明するための図である。
【発明を実施するための形態】
【００１７】
（本発明の第１の実施形態に係る移動通信システム）
図１乃至図６を参照して、本発明の第１の実施形態に係る移動通信システムについて説明する。
【００１８】
本実施形態に係る移動通信システムは、ＬＴＥ方式の移動通信システムであって、図１に示すように、コアネットワーク（図示せず）と、コアネットワークに接続されている無線基地局ｅＮＢとを具備している。なお、本発明は、ＬＴＥ方式以外のセルラー方式の移動通信システムにも適用可能である。
【００１９】
図１に示すように、移動局ＵＥ＃１は、無線基地局ｅＮＢとの間で、Ｕｕインタフェースを介したデータ信号及び制御信号の送受信を行い、移動局ＵＥ＃２との間で、Ｕｄインタフェースを介したデータ信号の送受信を行うように構成されている。
【００２０】
同様に、移動局ＵＥ＃２は、無線基地局ｅＮＢとの間で、Ｕｕインタフェースを介したデータ信号及び制御信号の送受信を行い、移動局ＵＥ＃１との間で、Ｕｄインタフェースを介したデータ信号の送受信を行うように構成されている。
【００２１】
図２に示すように、無線基地局ｅＮＢは、割当部１１と、送信部１２と、受信部１３とを具備している。
【００２２】
割当部１１は、移動局ＵＥ＃１及び移動局ＵＥ２に対して、Ｕｕインタフェースを介したデータ信号の送受信を行う機会や、Ｕｄインタフェースを介したデータ信号の送受信を行う機会を割り当てるように構成されている。
【００２３】
送信部１２は、移動局ＵＥ＃１及び移動局ＵＥ＃２に対して、Ｕｕインタフェースを介して、データ信号及び制御信号を送信するように構成されている。
【００２４】
例えば、送信部１２は、移動局ＵＥ＃１及び移動局ＵＥ２に対して、移動局ＵＥ＃１及び移動局ＵＥ＃２の識別情報（Ｃ-ＲＮＴＩ：Ｃｅｌｌ-Ｒａｄｉｏ  Ｎｅｔｗｏｒｋ  Ｔｅｍｐｏｒａｒｙ  Ｉｄｅｎｔｉｔｙ）を用いたＰＤＣＣＨを介して、制御信号として、Ｕｕインタフェース（ＰＤＳＣＨ）を介したデータ信号の受信を行う機会（Ｕｕ  ＤＬ）を割り当てたことを通知する「ＤＬ  ｒｅｓｏｕｒｃｅ  ａｌｌｏｃａｔｉｏｎ」や、Ｕｕインタフェース（ＰＵＳＣＨ）を介したデータ信号の送信を行う機会（Ｕｕ  ＵＬ）を割り当てたことを通知する「ＵＬ  ｇｒａｎｔ」を送信するように構成されている。
【００２５】
また、送信部１２は、移動局ＵＥ＃１及び移動局ＵＥ２に対して、移動局ＵＥ＃１及び移動局ＵＥ＃２の共通識別情報（以下、Ｘ-ＲＮＴＩ）を用いたＰＤＣＣＨを介して、Ｕｄインタフェースを介したデータ信号の送信を行う機会（Ｕｄ  Ｔｘ）を割り当てたこと、及び、Ｕｄインタフェースを介したデータ信号の受信を行う機会（Ｕｄ  Ｒｘ）を割り当てたことを通知するように構成されている。
【００２６】
ここで、「Ｕｄ  Ｔｘ」及び「Ｕｄ  Ｒｘ」を割り当てたことを通知する際に、移動局ＵＥ＃１及び移動局ＵＥ＃２に共通のＸ-ＲＮＴＩを用いることで、移動局ＵＥ＃１及び移動局ＵＥ＃２の各々のＣ-ＲＮＴＩを用いる場合よりも、ＰＤＣＣＨに係るシグナリング量を抑えることができる。
【００２７】
なお、送信部１２は、予めＲＲＣシグナリングを介して、かかるＸ-ＲＮＴＩを移動局ＵＥ＃１及び移動局ＵＥ＃２に対して割り当てるよう構成されていてもよい。かかるＸ-ＲＮＴＩは、Ｕｄインタフェース設定時に通知されてもよい。
【００２８】
さらに、送信部１２は、割当部１１によって割り当てられた機会において、移動局ＵＥ＃１及び移動局ＵＥ２に対して、ＰＤＳＣＨを介して、データ信号を送信するように構成されている。
【００２９】
そのため、移動局ＵＥ＃１及び移動局ＵＥ＃２は、自身のＣ-ＲＮＴＩを用いて送信されたＰＤＣＣＨに対して「ｂｌｉｎｄ  ｄｅｃｏｄｅ」を行うと共に、Ｘ-ＲＮＴＩを用いて送信されたＰＤＣＣＨに対して「ｂｌｉｎｄ  ｄｅｃｏｄｅ」を行う。
【００３０】
受信部１３は、移動局ＵＥ＃１及び移動局ＵＥ＃２から、Ｕｕインタフェースを介して、データ信号及び制御信号を受信するように構成されている。
【００３１】
例えば、送信部１２は、割当部１１によって割り当てられた機会において、移動局ＵＥ＃１及び移動局ＵＥ２から、ＰＵＳＣＨを介して、データ信号を受信するように構成されている。
【００３２】
なお、本実施形に係る移動通信システムでは、Ｕｕインタフェースにおける送受信で用いられる周波数及びＵｄインタフェースにおける送受信で用いられる周波数の組み合わせによって、以下の４つのケースが想定される。
【００３３】
-  Ｕｄインタフェースにおける送受信で用いられる周波数及びＵｕインタフェースにおける上りリンクの送受信で用いられる周波数が同じケース（ケース１）。
【００３４】
-  Ｕｄインタフェースにおける送受信で用いられる周波数及びＵｕインタフェースにおける下りリンクの送受信で用いられる周波数が同じケース（ケース２）。
【００３５】
-  Ｕｄインタフェースにおける送受信で用いられる周波数及びＵｕインタフェースにおける送受信で用いられる周波数が異なり、かつ、Ｕｄインタフェースにおける移動局ＵＥ＃１の送信で用いられる周波数及びＵｄインタフェースにおける移動局ＵＥ＃２の送信で用いられる周波数が同じケース（ケース３）。
【００３６】
-  Ｕｄインタフェースにおける送受信で用いられる周波数及びＵｕインタフェースにおける送受信で用いられる周波数が異なり、かつ、Ｕｄインタフェースにおける移動局ＵＥ＃１の送信で用いられる周波数及びＵｄインタフェースにおける移動局ＵＥ＃２の送信で用いられる周波数が異なるケース（ケース４）。
【００３７】
以下、図３乃至図６を参照して、かかるケース１乃至４におけるＵｕインタフェースを介した送受信タイミング及びＵｄインタフェースを介した送受信タイミングについて説明する。
【００３８】
なお、図３乃至図６の例では、（無線基地局ｅＮＢで見た場合の）周波数Ｆ１におけるサブフレーム及び周波数Ｆ２における各サブフレームの先頭位置が揃っているが、本発明は、周波数Ｆ１におけるサブフレーム及周波数Ｆ２における各サブフレームの先頭位置が揃っていない場合にも適用可能である。
【００３９】
＜ケース１＞
図３に示すように、ケース１では、周波数Ｆ２において、Ｕｄインタフェースにおける送受信及びＵｕインタフェースにおける上りリンクの送受信が時分割で行われるように構成されている。
【００４０】
また、図３に示すように、ケース１では、周波数Ｆ１において、Ｕｕインタフェースにおける下りリンクの送受信が行われるように構成されている。
【００４１】
具体的には、割当部１１は、Ｕｕインタフェースを介した上りリンクの送受信を行う機会及びＵｕインタフェースを介した下りリンクの送受信を行う機会については、従来のＬＴＥ方式と同様の割り当てを行うように構成されている。
【００４２】
すなわち、割当部１１は、ＰＤＣＣＨと同一のサブフレームにＰＤＳＣＨ（すなわち、「Ｕｕ  ＤＬ」）を割り当て、ＰＤＣＣＨが割り当てられているサブフレームからＸ個のサブフレームだけ後のサブフレームにＰＵＳＣＨ（すなわち、「Ｕｕ  ＵＬ」）を割り当てるように構成されている。
【００４３】
一方、割当部１１は、Ｕｄインタフェースを介した送受信を行う機会については、移動局ＵＥ＃１及び移動局ＵＥ＃２においてデータ信号（トランスポートブロック）が作成されるまでの処理遅延を考慮して決定するように構成されている。
【００４４】
例えば、割当部１１は、Ｕｄインタフェースを介した送受信を行う機会については、ＰＤＣＣＨが割り当てられているサブフレームからＹ個（Ｘ≦Ｙ）のサブフレームだけ後のサブフレームに割り当てるように構成されている。
【００４５】
また、送信部１２は、移動局ＵＥ＃１及び移動局ＵＥ＃２に対して、ＰＤＣＣＨを介して、Ｕｄインタフェースを介した送受信を行う機会（サブフレーム）においてデータ信号を送信すべき方向を通知する「ｄｉｒｅｃｔｉｏｎ情報（例えば、ＵＥ＃１→ＵＥ＃２又はＵＥ＃２→ＵＥ＃１）」を送信するように構成されていてもよい。
【００４６】
或いは、送信部１２は、移動局ＵＥ＃１及び移動局ＵＥ＃２に対して、予めＲＲＣシグナリングを介して、各サブフレームにおいてデータ信号を送信すべき方向を通知する「ｄｉｒｅｃｔｉｏｎ情報」を送信及び設定するように構成されていてもよい。かかる場合、送信部１２は、ＰＤＣＣＨに、上述の「ｄｉｒｅｃｔｉｏｎ情報」を含める必要はない。
【００４７】
また、送信部１２は、移動局ＵＥ＃１及び移動局ＵＥ＃２に対して、ＲＲＣシグナリングを介して、Ｕｕインタフェースを介した送受信とＵｄインタフェースを介した送受信とを時分割で行うために必要な時分割情報を送信するように構成されていてもよい。
【００４８】
例えば、送信部１２は、かかる時分割情報として、Ｕｕインタフェースを介した送受信を行う機会を割り当てる可能性があるサブフレーム及びＵｄインタフェースを介した送受信を行う機会を割り当てる可能性があるサブフレームを通知する情報を送信するように構成されている。
【００４９】
このように、予めＲＲＣシグナリングを介して、上述の時分割情報が送信されている場合には、移動局ＵＥ＃１及び移動局ＵＥ＃２は、Ｕｕインタフェースを介した送受信を行う機会を割り当てる可能性があるサブフレーム（例えば、サブフレーム＃１/＃３/＃５）では、「ＤＬ  ｒｅｓｏｕｒｃｅ  ａｌｌｏｃａｔｉｏｎ」送信用のＰＤＣＣＨのフォーマット及び「ＵＬ  ｇｒａｎｔ」送信用のＰＤＣＣＨのフォーマットに限定して「ｂｌｉｎｄ  ｄｅｃｏｄｅ」を行えばよい。
【００５０】
同様に、予めＲＲＣシグナリングを介して、上述の時分割情報が送信されている場合には、移動局ＵＥ＃１及び移動局ＵＥ＃２は、Ｕｄインタフェースを介した送受信を行う機会を割り当てる可能性があるサブフレーム（例えば、サブフレーム＃２/＃４/＃６）では、「ＤＬ  ｒｅｓｏｕｒｃｅ  ａｌｌｏｃａｔｉｏｎ」送信用のＰＤＣＣＨのフォーマット、Ｕｄインタフェースを介した送受信（ＵＥ＃１→ＵＥ＃２）を行う機会を割り当てたことを通知するためのＰＤＣＣＨのフォーマット、及び、Ｕｄインタフェースを介した送受信（ＵＥ＃２→ＵＥ＃１）を行う機会を割り当てたことを通知するためのＰＤＣＣＨのフォーマットに限定して「ｂｌｉｎｄ  ｄｅｃｏｄｅ」を行えばよい。
【００５１】
ここで、Ｕｕインタフェースを介した送受信を行う機会を割り当てたことを通知するＰＤＣＣＨのフォーマットは、Ｕｄインタフェースを介した送受信を行う機会を割り当てたことを通知するＰＤＣＣＨのフォーマットと異なるように構成されていてもよい。
【００５２】
また、Ｕｕインタフェースを介した送受信を行う機会を割り当てたことを通知するＰＤＣＣＨのフォーマットのうち、「ＤＬ  ｒｅｓｏｕｒｃｅ  ａｌｌｏｃａｔｉｏｎ」送信用のＰＤＣＣＨのフォーマットは、「ＵＬ  ｇｒａｎｔ」送信用のＰＤＣＣＨのフォーマットと異なるように構成されていてもよい。
【００５３】
さらに、Ｕｄインタフェースを介した送受信（ＵＥ＃１→ＵＥ＃２）を行う機会を割り当てたことを通知するためのＰＤＣＣＨのフォーマットは、Ｕｄインタフェースを介した送受信（ＵＥ＃２→ＵＥ＃１）を行う機会を割り当てたことを通知するためのＰＤＣＣＨのフォーマットと異なるように構成されていてもよい。
【００５４】
この結果、移動局ＵＥ＃１及び移動局ＵＥ＃２において「ｂｌｉｎｄ  ｄｅｃｏｄｅ」を行うＰＤＣＣＨのフォーマットのパターン数を減らすことができる。
【００５５】
また、予めＲＲＣシグナリングを介して、上述の時分割情報に加えて、上述の「ｄｉｒｅｃｔｉｏｎ情報」が送信されている場合には、移動局ＵＥ＃１及び移動局ＵＥ＃２は、各サブフレームにおいて、「ＤＬ  ｒｅｓｏｕｒｃｅ  ａｌｌｏｃａｔｉｏｎ」送信用のＰＤＣＣＨのフォーマット及び「ＵＬ  ｇｒａｎｔ」送信用のＰＤＣＣＨのフォーマットの組み合わせ、「ＤＬ  ｒｅｓｏｕｒｃｅ  ａｌｌｏｃａｔｉｏｎ」送信用のＰＤＣＣＨのフォーマット及びＵｄインタフェースを介した送受信（ＵＥ＃１→ＵＥ＃２）を行う機会を割り当てたことを通知するためのＰＤＣＣＨのフォーマットの組み合わせ、或いは、「ＤＬ  ｒｅｓｏｕｒｃｅ  ａｌｌｏｃａｔｉｏｎ」送信用のＰＤＣＣＨのフォーマット及びＵｄインタフェースを介した送受信（ＵＥ＃２→ＵＥ＃１）を行う機会を割り当てたことを通知するためのＰＤＣＣＨのフォーマットの組み合わせのいずれかに限定して「ｂｌｉｎｄ  ｄｅｃｏｄｅ」を行えばよい。
【００５６】
その結果、移動局ＵＥ＃１及び移動局ＵＥ＃２において「ｂｌｉｎｄ  ｄｅｃｏｄｅ」を行うＰＤＣＣＨのフォーマットのパターン数を更に減らすことができる。
【００５７】
なお、予めＲＲＣシグナリングを介して、上述の時分割情報が送信されない場合には、移動局ＵＥ＃１及び移動局ＵＥ＃２は、各サブフレームにおいて、「ＤＬ  ｒｅｓｏｕｒｃｅ  ａｌｌｏｃａｔｉｏｎ」送信用のＰＤＣＣＨのフォーマット、「ＵＬ  ｇｒａｎｔ」送信用のＰＤＣＣＨのフォーマット、Ｕｄインタフェースを介した送受信（ＵＥ＃１→ＵＥ＃２）を行う機会を割り当てたことを通知するためのＰＤＣＣＨのフォーマット、及び、Ｕｄインタフェースを介した送受信（ＵＥ＃２→ＵＥ＃１）を行う機会を割り当てたことを通知するためのＰＤＣＣＨのフォーマットの全てに対して「ｂｌｉｎｄ  ｄｅｃｏｄｅ」を行えばよい。
【００５８】
かかる場合、移動局ＵＥ＃１及び移動局ＵＥ＃２において「ｂｌｉｎｄ  ｄｅｃｏｄｅ」を行うＰＤＣＣＨのフォーマットのパターン数は多くなるが、事前に、Ｕｕインタフェースを介した送受信を行う機会及びＵｄインタフェースを介した送受信を行う機会を割り当てる可能性があるサブフレームが固定されないため、無線基地局ｅＮＢは、データ信号量等に基づいて、Ｕｕ/Ｕｄインタフェースを介した送受信を行う機会の割り当てを柔軟に行うことができる。
【００５９】
なお、ケース１では、移動局ＵＥ＃１及び移動局ＵＥ＃２は、周波数Ｆ２において、Ｕｕ/Ｕｄインタフェースを介した送信及びＵｄインタフェースを介した受信の両方を行う能力が必要となる。すなわち、移動局ＵＥ＃１及び移動局ＵＥ＃２は、周波数Ｆ２においてＴＤＤ（Ｔｉｍｅ  Ｄｉｖｉｓｉｏｎａｌ  Ｄｕｐｌｅｘｉｎｇ）機能をサポートする必要がある。
【００６０】
＜ケース２＞
以下、図４を参照して、ケース１における動作と異なる点に着目して説明する。
【００６１】
図４に示すように、ケース２では、周波数Ｆ１において、Ｕｄインタフェースにおける送受信及びＵｕインタフェースにおける下りリンクの送受信が時分割で行われるように構成されている。
【００６２】
また、図４に示すように、ケース２では、周波数Ｆ２において、Ｕｕインタフェースにおける上りリンクの送受信が行われるように構成されている。
【００６３】
具体的には、割当部１１は、Ｕｕインタフェースを介した上りリンクの送受信を行う機会及びＵｕインタフェースを介した下りリンクの送受信を行う機会については、従来のＬＴＥ方式と同様の割り当てを行うように構成されている。
【００６４】
すなわち、割当部１１は、ＰＤＣＣＨと同一のサブフレームにＰＤＳＣＨ（すなわち、「Ｕｕ  ＤＬ」）を割り当て、ＰＤＣＣＨが割り当てられているサブフレームからＸ個のサブフレームだけ後のサブフレームにＰＵＳＣＨ（すなわち、「Ｕｕ  ＵＬ」）を割り当てるように構成されている。
【００６５】
ただし、割当部１１は、Ｕｕインタフェースを介した上りリンクの送受信を行う機会については、ＰＤＣＣＨが割り当てられているサブフレームからＸ１個（Ｘ≦Ｘ１）のサブフレームだけ後のサブフレームに割り当てることができるように構成されている。
【００６６】
これは、周波数Ｆ１上に、Ｕｄインタフェースを介した送受信を行う機会が挿入されることに伴い、移動局ＵＥ＃１及び移動局ＵＥ＃２においてＰＤＣＣＨを受信できないサブフレーム（例えば、サブフレーム＃２/＃４/＃６/＃８）が生じるためである。
【００６７】
したがって、割当部１１は、ＰＤＣＣＨを受信できないサブフレーム（例えば、サブフレーム＃２/＃４/＃６/＃８）におけるＰＤＣＣＨを介して本来行うべきＰＵＳＣＨの割り当てについては、１つ前のサブフレーム（例えば、サブフレーム＃１/＃３/＃５/＃７）におけるＰＤＣＣＨによって行うように構成されている。
【００６８】
一方、割当部１１は、Ｕｄインタフェースを介した送受信を行う機会については、移動局ＵＥ＃１及び移動局ＵＥ＃２においてデータ信号（トランスポートブロック）が作成されるまでの処理遅延を考慮して決定するように構成されている。
【００６９】
ただし、周波数Ｆ１上に、Ｕｄインタフェースを介した送受信を行う機会が挿入されることに伴い、移動局ＵＥ＃１及び移動局ＵＥ＃２においてＰＤＣＣＨを受信できないサブフレーム（例えば、サブフレーム＃２/＃４/＃６/＃８）が生じるため、割当部１１は、Ｕｄインタフェースを介した送受信を行う機会については、ＰＤＣＣＨが割り当てられているサブフレームからＹ１個（Ｙ≦Ｙ１）のサブフレームだけ後のサブフレームに割り当てるように構成されていてもよい。
【００７０】
このように、ＰＤＣＣＨを受信できないサブフレームが生じることを考慮して、送信部１１は、Ｕｄインタフェースを介したデータ信号の送受信を行うべきサブフレームを通知するように構成されていてもよい。
【００７１】
例えば、送信部１２は、ＰＤＣＣＨの特定のフィールドの「ｃｏｄｅ  ｐｏｉｎｔ」を用いて、Ｕｄインタフェースを介した送受信を行う機会の割り当てが、ＰＤＣＣＨが割り当てられているサブフレームから何サブフレーム先になるのかについて示す情報（「ｓｕｂｆｒａｍｅ  ｉｎｄｅｘ」）を通知するように構成されていてもよい。
【００７２】
なお、送信部１２は、予めＲＲＣシグナリングを介して、「ｃｏｄｅ  ｐｏｉｎｔ」と「ｓｕｂｆｒａｍｅ  ｉｎｄｅｘ」とのマッピングについて通知するように構成されていてもよい。
【００７３】
或いは、移動局ＵＥ＃１及び移動局ＵＥ＃２は、ＰＤＣＣＨを受信した場合、処理遅延に相当する時間（Ｘｍｓ）が経過した後に、最初にＵｄインタフェースを介した送受信可能なサブフレームを、Ｕｄインタフェースを介したデータ信号の送受信を行うべきサブフレームとするように構成されていてもよい。
【００７４】
なお、ケース２では、移動局ＵＥ＃１及び移動局ＵＥ＃２は、周波数Ｆ１において、Ｕｄインタフェースを介した送信及びＵｕ/Ｕｄインタフェースを介した受信の両方を行う能力が必要となる。すなわち、移動局ＵＥ＃１及び移動局ＵＥ＃２は、周波数Ｆ１においてＴＤＤ機能をサポートする必要がある。
【００７５】
なお、移動局ＵＥ＃１及び移動局ＵＥ＃２がＵｄインタフェースを介したデータ信号の送受信を行うべきサブフレームであっても、移動局ＵＥ＃１及び移動局ＵＥ＃２がＰＤＣＣＨを受信できるように構成されていてもよい。
【００７６】
かかる場合、Ｕｄインタフェースを介したデータ信号の送受信は、ＰＤＣＣＨの受信タイミング（サブフレームの先頭１〜３ＯＦＤＭシンボル）を除く残りの時間で行われる。この場合、Ｘ１＝Ｘ、Ｙ１＝Ｙとなる。
【００７７】
＜ケース３＞
以下、図５を参照して、ケース１/２における動作と異なる点に着目して説明する。
【００７８】
図５に示すように、ケース３では、周波数Ｆ１において、Ｕｕインタフェースにおける下りリンクの送受信が行われ、周波数Ｆ２において、Ｕｕインタフェースにおける上りリンクの送受信が行われ、周波数Ｆ３において、Ｕｄインタフェースにおける送受信が行われるように構成されている。
【００７９】
また、周波数Ｆ３では、Ｕｄインタフェースにおける送受信（ＵＥ＃１→ＵＥ＃２）及びＵｄインタフェースにおける送受信（ＵＥ＃２→ＵＥ＃１）が時分割で行われるように構成されている。
【００８０】
なお、ケース３における無線基地局ｅＮＢの動作は、周波数Ｆ３においてＵｄインタフェースにおける送受信が行われる点を除き、ケース１の場合の動作と同様である。
【００８１】
なお、Ｕｄインタフェースにおける送受信用の周波数（キャリア）が複数ある場合を想定し、割当部１１は、ＰＤＣＣＨの特定のフィールドの「ｃｏｄｅ  ｐｏｉｎｔ」を用いて、Ｕｄインタフェースを介した送受信を行うべき周波数について示す情報（「ｃａｒｒｉｅｒ  ｉｎｄｅｘ」）を通知するように構成されていてもよい。
【００８２】
なお、送信部１２は、予めＲＲＣシグナリングを介して、「ｃｏｄｅ  ｐｏｉｎｔ」と「ｃａｒｒｉｅｒ  ｉｎｄｅｘ」とのマッピングについて通知するように構成されていてもよい。
【００８３】
また、送信部１２は、予めＲＲＣシグナリングを介して、各「ｃａｒｒｉｅｒ  ｉｎｄｅｘ」にマッピングされているキャリアについて通知するように構成されていてもよい。
【００８４】
なお、ケース３では、移動局ＵＥ＃１及び移動局ＵＥ＃２は、周波数Ｆ３において、Ｕｄインタフェースを介した送信及びＵｄインタフェースを介した受信の両方を行う能力が必要となる。すなわち、移動局ＵＥ＃１及び移動局ＵＥ＃２は、周波数Ｆ３においてＴＤＤ機能をサポートする必要がある。
【００８５】
＜ケース４＞
以下、図６を参照して、ケース１/２/３における動作と異なる点に着目して説明する。
【００８６】
図６に示すように、ケース４では、周波数Ｆ１において、Ｕｕインタフェースにおける下りリンクの送受信が行われ、周波数Ｆ２において、Ｕｕインタフェースにおける上りリンクの送受信が行われ、周波数Ｆ３において、Ｕｄインタフェースにおける送受信（ＵＥ＃１→ＵＥ＃２）が行われ、周波数Ｆ４において、Ｕｄインタフェースにおける送受信（ＵＥ＃２→ＵＥ＃１）が行われるように構成されている。
【００８７】
すなわち、ケース４では、Ｕｄインタフェースにおける送受信（ＵＥ＃１→ＵＥ＃２）及びＵｄインタフェースにおける送受信（ＵＥ＃２→ＵＥ＃１）の多重は、ＦＤＤ（Ｆｒｅｑｕｅｎｃｙ  Ｄｉｖｉｓｉｏｎａｌ  Ｄｕｐｌｅｘｉｎｇ）である。
【００８８】
ケース４のおける無線基地局ｅＮＢの動作は、基本的に、ケース３における動作と同様であるが、Ｕｄインタフェースにおける送受信（ＵＥ＃１→ＵＥ＃２）及びＵｄインタフェースにおける送受信（ＵＥ＃２→ＵＥ＃１）が異なる周波数（キャリア）によって行われるため、送信部１２は、上述の「ｄｉｒｅｃｔｉｏｎ情報」を送信しなくてもよい。
【００８９】
なお、ケース４の場合は、移動局ＵＥ＃１は、周波数Ｆ３において、Ｕｄインタフェースを介した送信を行い、周波数Ｆ４において、Ｕｄインタフェースを介した受信を行う能力が必要となり、動局ＵＥ＃１は、周波数Ｆ４において、Ｕｄインタフェースを介した送信を行い、周波数Ｆ３において、Ｕｄインタフェースを介した受信を行う能力が必要となる。
【００９０】
しかしながら、移動局ＵＥの組み合わせによって、Ｕｄインタフェースを介して送受信に用いられる周波数が、なるべく制約されないようにすることが望ましく、等しい能力を持った移動局ＵＥ間で、Ｕｄインタフェースを設定できることが望ましい。
【００９１】
したがって、ケース４の場合は、移動局ＵＥ＃１及び移動局ＵＥ＃２は、周波数Ｆ３/Ｆ４の両方で、Ｕｄインタフェースを介した送受信を行う能力を備えることが望ましい。
【００９２】
これは、すなわち、ケース３において、移動局ＵＥ＃１及び移動局ＵＥ＃２が、複数の周波数（キャリア）で、Ｕｄインタフェースを介した送受信をサポートすることと、無線周波数（ＲＦ）能力的には変わらない。
【００９３】
移動局ＵＥ＃１及び移動局ＵＥ＃２が、複数の周波数（キャリア）で、Ｕｄインタフェースを介した送受信をサポートした場合は、Ｕｄインタフェースにおける送受信（ＵＥ＃１→ＵＥ＃２）及びＵｄインタフェースにおける送受信（ＵＥ＃２→ＵＥ＃１）の多重方法として、ＴＤＤ及びＦＤＤの両方の選択肢があることとなる。
【００９４】
ＴＤＤの場合は、無線基地局ｅＮＢは、ＰＤＣＣＨのフォーマットに「ｄｉｒｅｃｔｉｏｎ情報」を付与することで、Ｕｄインタフェースにおける送受信（ＵＥ＃１→ＵＥ＃２）及びＵｄインタフェースにおける送受信（ＵＥ＃２→ＵＥ＃１）毎のトラフィック量に応じた柔軟な割り当てが可能となる。
【００９５】
一方、ＦＤＤの場合は、ＰＤＣＣＨのフォーマットに「ｄｉｒｅｃｔｉｏｎ情報」を付与する必要がなくなる。
【００９６】
かかる場合、Ｕｄインタフェースの設定時に、ＲＲＣシグナリングにて、どの周波数（キャリア）が、Ｕｄインタフェースにおける送受信（ＵＥ＃１→ＵＥ＃２）及びＵｄインタフェースにおける送受信（ＵＥ＃２→ＵＥ＃１）のどちらに用いられるかについて通知される。
【００９７】
したがって、例えば、ＰＤＣＣＨに含まれる「ｃａｒｒｉｅｒ  ｉｎｄｅｘ」にて、どの周波数（キャリア）が、Ｕｄインタフェースにおける送受信（ＵＥ＃１→ＵＥ＃２）及びＵｄインタフェースにおける送受信（ＵＥ＃２→ＵＥ＃１）のどちらに用いられるかについて決定される。
【００９８】
ＴＤＤの場合であっても、無線基地局ｅＮＢが、ＲＲＣシグナリングによって、事前にＵｄインタフェースにおける送受信（ＵＥ＃１→ＵＥ＃２）及びＵｄインタフェースにおける送受信（ＵＥ＃２→ＵＥ＃１）の時分割を指定した場合は、ダイナミックな柔軟性は損なわれるが、準固定的に、上述の時分割について変更可能である。
【００９９】
かかる場合、無線基地局ｅＮＢが、ＰＤＣＣＨのフォーマットにて「ｄｉｒｅｃｔｉｏｎ情報」を通知する必要がなくなり、「ｂｌｉｎｄ  ｄｅｃｏｄｅ」を行うＰＤＣＣＨのフォーマットのパターン数を減らすことができる。
【０１００】
上述の全てのケースにおいて、ＰＤＣＣＨのフォーマットにて「ｄｉｒｅｃｔｉｏｎ情報」を通知する場合、かかる情報の定義が、予めＲＲＣシグナリングによって移動局ＵＥ＃１及び移動局ＵＥ＃２に対して通知されていてもよい。すなわち、「ｄｉｒｅｃｔｉｏｎ情報」の送信及び受信へのマッピングが、予めＲＲＣシグナリングを介して通知されていてもよい。
【０１０１】
例えば、「ｄｉｒｅｃｔｉｏｎ情報」がＰＤＣＣＨ上の１ビットの情報要素で示される場合、移動局＃１に対して、「ｄｉｒｅｃｔｉｏｎ情報＝１」が送信であり、「ｄｉｒｅｃｔｉｏｎ情報＝０」が受信であることについて通知され、移動局＃２に対して、「ｄｉｒｅｃｔｉｏｎ情報＝０」が送信であり、「ｄｉｒｅｃｔｉｏｎ情報＝１」が受信であることについて通知されていてもよい。
【０１０２】
また、上述の全てのケースにおいて、ＲＲＣシグナリングを介して「ｄｉｒｅｃｔｉｏｎ情報」が通知され、ＰＤＣＣＨ上の「ｄｉｒｅｃｔｉｏｎ情報」が省かれた場合、ＲＲＣシグナリングで「ｄｉｒｅｃｔｉｏｎ情報」が設定された以降は、Ｕｄインタフェースにおける送受信の割り当てを行うＰＤＣＣＨは、片方向の割り当てを示すように限定されてもよい。この場合、送受信方向を切替える場合は、改めてＲＲＣシグナリングが用いられる。
【０１０３】
或いは、ＲＲＣシグナリングを介して通知される「ｄｉｒｅｃｔｉｏｎ情報」は、周期的な時間リソース乃至周波数リソースに括り着くように構成されていてもよい。この場合、ＰＤＣＣＨによって割り当てられた時間・周波数リソースに応じて、送受信方向が定まることとなる。
【０１０４】
以上に述べた本実施形態の特徴は、以下のように表現されていてもよい。
【０１０５】
本実施形態の第１の特徴は、移動局ＵＥ＃１（第１移動局）及び移動局ＵＥ＃２（第２移動局）と無線基地局ｅＮＢとの間でＵｕインタフェース（無線基地局インタフェース）を介したデータ信号及び制御信号の送受信を行い、移動局ＵＥ＃１と移動局ＵＥ＃２との間でＵｄインタフェース（移動局間インタフェース）を介したデータ信号の送受信を行う移動通信方法であって、無線基地局ｅＮＢが、移動局ＵＥ＃１及び移動局ＵＥ＃２に対して、Ｘ-ＲＮＴＩ（共通識別情報）を用いたＰＤＣＣＨ（物理下りリンク制御チャネル）を介して、Ｕｄインタフェースを介したデータ信号の送受信を行う機会を割り当てたことを通知する工程Ａと、無線基地局ｅＮＢが、移動局ＵＥ＃１及び移動局ＵＥ＃２に対して、かかる機会においてデータ信号を送信すべき方向を通知する「ｄｉｒｅｃｔｉｏｎ情報（送信方向情報）」を送信する工程Ｂとを有することを要旨とする。
【０１０６】
本実施形態の第２の特徴は、移動局ＵＥ＃１及び移動局ＵＥ＃２と無線基地局ｅＮＢとの間でＵｕインタフェースを介したデータ信号及び制御信号の送受信を行い、移動局ＵＥ＃１と移動局ＵＥ＃２との間でＵｄインタフェースを介したデータ信号の送受信を行うことができるように構成されている移動通信システムで用いられる無線基地局ｅＮＢであって、移動局ＵＥ＃１及び移動局ＵＥ＃２に対して、Ｘ-ＲＮＴＩを用いたＰＤＣＣＨを介して、Ｕｄインタフェースを介したデータ信号の送受信を行う機会を割り当てたことを通知するように構成されている送信部１２を具備しており、送信部１２は、移動局ＵＥ＃１及び移動局ＵＥ＃２に対して、かかる機会においてデータ信号を送信すべき方向を通知する「ｄｉｒｅｃｔｉｏｎ情報」を送信するように構成されていることを要旨とする。
【０１０７】
本実施形態の第２の特徴において、送信部１２は、Ｘ-ＲＮＴＩを用いたＰＤＣＣＨを介して、上述の「ｄｉｒｅｃｔｉｏｎ情報」を送信するように構成されていてもよい。
【０１０８】
本実施形態の第２の特徴において、送信部１２は、ＲＲＣシグナリングを介して、ＰＤＣＣＨを介して送信される「ｄｉｒｅｃｔｉｏｎ情報」の送信及び受信へのマッピングを送信するように構成されていてもよい。
【０１０９】
本実施形態の第２の特徴において、送信部１２は、ＲＲＣシグナリングを介して、上述の「ｄｉｒｅｃｔｉｏｎ情報」を送信するように構成されていてもよい。
【０１１０】
本実施形態の第２の特徴において、「ｄｉｒｅｃｔｉｏｎ情報」は、周期的な時間リソース及び周波数リソースに括り着いていてもよい。
【０１１１】
本実施形態の第２の特徴において、送信部１２は、Ｘ-ＲＮＴＩを用いたＰＤＣＣＨを介して、Ｕｄインタフェースを介したデータ信号の送受信を行うべき周波数を通知するように構成されていてもよい。
【０１１２】
本実施形態の第２の特徴において、送信部１２は、ＲＲＣシグナリングを介して、Ｕｄインタフェースを介したデータ信号の送受信を行うべき周波数を通知するように構成されていてもよい。
【０１１３】
本実施形態の第２の特徴において、送信部１２は、Ｘ-ＲＮＴＩを用いたＰＤＣＣＨを介して、Ｕｄインタフェースを介したデータ信号の送受信を行うべきサブフレームを通知するように構成されていてもよい。
【０１１４】
本実施形態の第２の特徴において、送信部１２は、ＲＲＣシグナリングを介して、Ｕｕインタフェースを介したデータ信号及び制御信号の送受信と、Ｕｄインタフェースを介したデータ信号の送受信とを時分割で行うために必要な時分割情報を送信するように構成されていてもよい。
【０１１５】
本実施形態の第２の特徴において、送信部１２は、Ｕｕインタフェースを介したデータ信号の送受信を行う機会を割り当てたことを通知するＰＤＣＣＨのフォーマットと、Ｕｄインタフェースを介したデータ信号の送受信を行う機会を割り当てたことを通知するＰＤＣＣＨのフォーマットとを異なるフォーマットにするように構成されていてもよい。
【０１１６】
なお、上述の無線基地局ｅＮＢや移動局ＵＥ＃１/ＵＥ＃２等の動作は、ハードウェアによって実施されてもよいし、プロセッサによって実行されるソフトウェアモジュールによって実施されてもよいし、両者の組み合わせによって実施されてもよい。
【０１１７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ＃１/ＵＥ＃２等内に設けられていてもよい。また、かかる記憶媒体及びプロセッサは、ディスクリートコンポーネントとして無線基地局ｅＮＢや移動局ＵＥ＃１/ＵＥ＃２等内に設けられていてもよい。
【０１１９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２０】
ＵＥ＃１、ＵＥ＃２…移動局
ｅＮＢ…無線基地局
１１…割当部
１２…送信部
１３…受信部
【図１】
0005484396.tif 000002
【図２】
0005484396.tif 000003
【図３】
0005484396.tif 000004
【図４】
0005484396.tif 000005
【図５】
0005484396.tif 000006
【図６】
0005484396.tif 000007
【図７】
0005484396.tif 000008